(57)【要約】【課題】スクリーンの巻取機構を備えた巻取り式スクリーン装置を建物開口部に設置する際に、スクリーン枠における上下部の枠材と左右の側枠を上記開口部寸法に対応する所要長に容易に調整可能にする。【解決手段】任意長に切断した上下部の枠材２，３と左右の側枠４，５の端部を、それぞれコーナー連結部材６〜９を用いて連結することにより、スクリーン枠１を構成する。スクリーン１１の一端を側枠４の巻取軸１２に巻着し、スクリーンの他端を可動框１３に連結し、側枠４の上端のコーナー連結部材６に、スクリーンを巻取るための調整可能なスプリング２５の付勢力を該巻取軸に伝達する巻取機構３０を、巻取軸１２に対して挿脱自在に設けると共に、下方のコーナー連結部材８に、巻取軸１２の回転によるスクリーン１１の繰り出しの限度を調整可能なストッパー機構５０を、巻取軸１２に対して挿脱自在に設ける。【選択図】　　　　図２
2004003204.tif 000002
【特許請求の範囲】
【請求項１】
任意長に切断した上下部の枠材と左右の側枠の端部を、それぞれコーナー連結部材を用いてそれらの連結部を相互に嵌着して連結することにより、スクリーン枠を構成し、この枠内に張設するスクリーンの一端を上記側枠の一方に設けた巻取軸に巻着し、該スクリーンの他端を、上記上下部の枠体にガイドさせた可動框に連結してなる巻取り式スクリーン装置において、
上記巻取軸を設けた側枠の両端のコーナー連結部材の一方に、該巻取軸に連結して、スクリーンを巻取るための調整可能なスプリングの付勢力を該巻取軸に伝達する巻取機構を、巻取軸に対して挿脱自在に設けると共に、
上記コーナー連結部材の他方に、巻取軸の回転によるスクリーンの繰り出しの限度を調整可能なストッパー機構を、巻取軸に対して挿脱自在に設けた、
ことを特徴とする巻取り式スクリーン装置。
【請求項２】
任意長に切断した上下部の枠材と左右の側枠の端部を、それぞれコーナー連結部材を用いてそれらの連結部を相互に嵌着して連結することにより、スクリーン枠を構成し、この枠内に張設する左右のスクリーンの各一端を上記両側枠に設けた巻取軸に巻着し、該両スクリーンの他端を、上記上下部の枠体にガイドさせた一対の可動框にそれぞれ連結してなる巻取り式スクリーン装置において、
上記両側枠の両端のコーナー連結部材の各一方に、巻取軸に連結して、スクリーンを巻取るための調整可能なスプリングの付勢力を該巻取軸に伝達する巻取機構を、それぞれ巻取軸に対して挿脱自在に設けると共に、
上記コーナー連結部材の各他方に、巻取軸の回転によるスクリーンの繰り出しの限度を調整可能なストッパー機構を、巻取軸に対して挿脱自在に設けた、
ことを特徴とする巻取り式スクリーン装置。
【請求項３】
左右の側枠、可動框の框材及びスクリーンの巻取軸を同一長さにすると共に、上下部の枠材を同一長さとすることにより、スクリーン枠とそれに適合する可動框が形成されるようにした、
ことを特徴とする請求項１または２に記載の巻取り式スクリーン装置。
【請求項４】
スクリーンを巻取るためのスプリングの付勢力を巻取軸に伝達する巻取機構を、コーナー連結部材に対し、クラッチ機構を介して、巻取軸内に挿入される基端側スプリング受け及びそれに固定したスプリング支持軸を設け、上記基端側スプリング受けに巻取り用スプリングの一端を巻着固定すると共に、該スプリングの他端を、スプリング支持軸上に回転自在に設けた巻取軸側スプリング受けに巻着固定し、この巻取軸側のスプリング受けは、巻取軸と一体的に回転するが、巻取軸の軸線方向には移動自在として巻取軸に取付け、
上記クラッチ機構は、基端側スプリング受けがスプリングの付勢力により回転するのは阻止するが、コーナー連結部材に設けた操作輪の回転は、スクリーンを巻取るためのスプリングの付勢力の調整のためにスプリング支持軸に伝達できるものとした、
ことを特徴とする請求項１乃至３のいずれかに記載の巻取り式スクリーン装置。
【請求項５】
スクリーンの繰り出しの限度を設定するストッパー機構を、コーナー連結部材に対して巻取軸内に挿入するねじ軸をクラッチ機構を介して連結し、このねじ軸に、巻取軸と一体的に回転するが巻取軸の軸線方向には移動自在としたナットを螺合し、上記ねじ軸にはナットの螺進の限度を設置するストッパを設け、巻取軸がスクリーンの繰り出し方向に回転したときに、ねじ軸上をナットがストッパに向かって螺進するように構成し、
上記クラッチ機構は、ねじ軸が巻取軸の回転力等によって回転するのは阻止するが、コーナー連結部材に設けた操作輪の回転は、スクリーンの繰り出し限度の調整のためにねじ軸に伝達できるものとした、
ことを特徴とする請求項１乃至３のいずれかに記載の巻取り式スクリーン装置。
【請求項６】
上下部の枠材にスクリーンの上下端をガイドするガイド溝を設けると共に、巻取軸を備えた側枠の上下端に位置するコーナー連結部材に上記ガイド溝の延長部を設け、該延長部を構成する溝壁に、該ガイド溝から脱したスクリーンを巻取軸に巻取るときにその延長部内に戻す誘導溝を、巻取軸におけるスクリーンの巻き巾にわたって設けた、
ことを特徴とする請求項１乃至５のいずれかに記載の巻取り式スクリーン装置。
【請求項７】
上下部の枠材を共通化すると共に、上下部のコーナー連結部材を、巻取機構及びストッパー機構を除いて、上下対称性を有する形状に形成した、
ことを特徴とする請求項１乃至６のいずれかに記載の巻取り式スクリーン装置。
【請求項８】
巻取軸の両端をコーナー連結部材の支持面にワッシャーを介して回転自在に支持させ、スクリーン枠を上下反転して使用可能にした、
ことを特徴とする請求項１乃至７のいずれかに記載の巻取り式スクリーン装置。
【発明の詳細な説明】
【０００１】
【発明の属する技術分野】
本発明は、防虫、遮光、断熱、目隠し等のために建物開口部に設置する巻取り式スクリーン装置に関するものであり、更に具体的には、任意長に切断した上下部の枠材と左右の側枠の端部をそれぞれコーナー連結部材で連結することにより、建物開口部に対して寸法合わせできるようにした巻取り式スクリーン装置の改良に関するものである。
【０００２】
【従来の技術】
防虫、遮光、断熱、目隠し等のために建物開口部に設置する巻取り式スクリーン装置は、従来から極めて一般的に知られている。このような巻取り式スクリーン装置は、建物開口部に設置する場合、その開口部の大きさに合わせた寸法のスクリーン枠とする必要があり、この寸法合わせは、上下部の枠材と左右の側枠を上記開口部寸法に対応する所要長に切断し、それらの上下部の枠材と左右の側枠の端部をそれぞれコーナー連結部材で連結することにより行われる。
【０００３】
しかしながら、このようなスクリーン枠だけの寸法合わせであれば、ユーザーらにおいて比較的容易に行うことができるため、必要な素材や部品をセットとして販売することができるが、巻取り用のスプリングを用いて巻取軸にスクリーンを巻取るようにした巻取機構を備えるスクリーン装置の場合には、巻取機構の組付けが必ずしも簡単ではなく、しかも、次のような問題もあるので、建物開口部に合った寸法の製品を入手するか、寸法調整の作業を専門の業者に依頼する必要がある。
【０００４】
即ち、上述した寸法合わせを可能にしたスクリーン装置では、建物開口部の巾に合わせて上下部の枠材を短くし、それによってスクリーンの引き出し長さを短くすると、巻取り用のスプリングの強さを調整する必要が生じるばかりでなく、スクリーンをスクリーン枠内に張設した状態においても、余分なスクリーンが巻取軸に巻取られた状態にあるため、風その他の外力によってスクリーンが大きく撓むことになり、それに対する対策を考慮する必要がある。
【０００５】
特に、左右の側枠に巻取軸を設けてスクリーンを左右両開き仕様にした場合には、それぞれのスクリーンを巻取った巻取軸に余分なスクリーンが巻取られているため、各スクリーンを張設のために引き出す場合に、建物開口巾の１／２の範囲において引き出すべきところ、スクリーンの長さに余裕があるため、その引き出し限度を超えて大きく引き出す可能性があり、使用上において留意するとか、引き出し限度を設定するストッパを設けるなどの対策が必要になる。
【０００６】
更に、スクリーンの長さに余裕があって、風等の外力によりスクリーンが必要以上に引き出されて大きく撓んだりした場合には、該スクリーンの上下端が上下部の枠材のガイド溝から外れることになり、この状態でスクリーンを巻取軸に巻取ると、スクリーンの一部がガイド溝の溝壁を越えているので、その部分から皺になった状態で巻取られ、その後のスクリーンの開閉操作が不円滑になる。そのため、上述したスクリーンの繰り出し限度の適切な設定は重要であるが、その設定を行ってもなおスクリーンの上下端がガイド溝から外れることがあり、従って万一それが外れた場合にもスクリーンの巻取りが円滑に行われるようにする配慮も必要である。
【０００７】
【発明が解決しようとする課題】
本発明の技術的課題は、スクリーンを巻取るためのスプリングの付勢力を該巻取軸に伝達する巻取機構を備えた巻取り式スクリーン装置においても、それを建物開口部に設置する際に、スクリーン枠における上下部の枠材と左右の側枠を上記開口部寸法に対応する所要長に切断して、その開口部の大きさに合わせた寸法に容易に調整可能にした巻取り式スクリーン装置を提供することにある。
【０００８】
本発明の他の技術的課題は、巻取機構を備えた巻取り式スクリーン装置において、スクリーン枠における上下部の枠材と左右の側枠を上記開口部寸法に対応する寸法に調整したときに、上記巻取機構における巻取力の調整及びスクリーンの引き出し限度の設定を簡単に行えるようにした巻取り式スクリーン装置を提供することにある。
本発明の他の技術的課題は、スクリーンの上下端がガイド溝から外れることがあっても、スクリーンの巻取りが円滑に行われるようにした巻取り式スクリーン装置を提供することにある。
本発明の更に他の技術的課題は、上述した巻取り式スクリーン装置に、製造上、組付け上の利便性を可及的に付与することにある。
【０００９】
【課題を解決するための手段】
上記課題を解決するための本発明の巻取り式スクリーン装置は、任意長に切断した上下部の枠材と左右の側枠の端部を、それぞれコーナー連結部材を用いてそれらの連結部を相互に嵌着して連結することにより、スクリーン枠を構成し、この枠内に張設する単一のスクリーンの一端、あるいは、左右両開きのスクリーンの各一端を、上記側枠に設けた巻取軸に巻着し、該スクリーンの他端を、上記上下部の枠体にガイドさせた可動框に連結してなる巻取り式スクリーン装置において、上記巻取軸を設けた側枠の両端のコーナー連結部材の一方に、該巻取軸に連結して、スクリーンを巻取るための調整可能なスプリングの付勢力を該巻取軸に伝達する巻取機構を、巻取軸に対して挿脱自在に設けると共に、上記コーナー連結部材の他方に、巻取軸の回転によるスクリーンの繰り出しの限度を調整可能なストッパー機構を、巻取軸に対して挿脱自在に設けたことを特徴とするものである。
【００１０】
上記巻取り式スクリーン装置における巻取機構は、コーナー連結部材に対し、クラッチ機構を介して、巻取軸内に挿入される基端側スプリング受け及びそれに固定したスプリング支持軸を設け、上記基端側スプリング受けに巻取り用スプリングの一端を巻着固定すると共に、該スプリングの他端を、スプリング支持軸上に回転自在に設けた巻取軸側スプリング受けに巻着固定し、この巻取軸側のスプリング受けは、巻取軸と一体的に回転するが、巻取軸の軸線方向には移動自在として巻取軸に取付け、上記クラッチ機構は、基端側スプリング受けがスプリングの付勢力により回転するのは阻止するが、コーナー連結部材に設けた操作輪の回転は、スクリーンを巻取るためのスプリングの付勢力の調整のためにスプリング支持軸に伝達できるものとすることができる。
【００１１】
また、上記巻取り式スクリーン装置におけるストッパー機構は、コーナー連結部材に対して巻取軸内に挿入するねじ軸をクラッチ機構を介して連結し、このねじ軸に、巻取軸と一体的に回転するが巻取軸の軸線方向には移動自在としたナットを螺合し、上記ねじ軸にはナットの螺進の限度を設置するストッパを設け、巻取軸がスクリーンの繰り出し方向に回転したときに、ねじ軸上をナットがストッパに向かって螺進するように構成し、上記クラッチ機構は、ねじ軸が巻取軸の回転力等によって回転するのは阻止するが、コーナー連結部材に設けた操作輪の回転は、スクリーンの繰り出し限度の調整のためにねじ軸に伝達できるものとすることができる。
【００１２】
上記構成を有する巻取り式スクリーン装置は、スクリーン枠における上下部の枠材と左右の側枠を建物開口部寸法に対応する所要長に切断し、それらの各端部をコーナー連結部材との連結部に嵌着、連結することにより、建物開口部の大きさに合わせた寸法のスクリーン枠を構成できるものであり、スプリングの付勢力によってスクリーンを巻取る巻取機構を備えているが、その巻取機構を、上記巻取軸を設けた側枠の一端のコーナー連結部材に設け、それを巻取軸に対して挿脱自在にしているので、巻取軸を備えた側枠を任意長さに調整しても、スクリーン枠に対する巻取機構の組付けを容易に行うことができる。
しかも、この巻取機構は、コーナー連結部材に設けた操作輪により、スクリーンを巻取るためのスプリングの付勢力を組付け後に外部から調整できるようにしているので、スクリーン枠の寸法を任意に設定しても、巻取軸におけるスクリーンの巻取力を適切に設定することができる。
【００１３】
また、上記コーナー連結部材の他方には、巻取軸の回転によるスクリーンの繰り出しの限度を調整可能なストッパー機構を設けているので、その調整を適切に行うことにより、上下部の枠材の長さを任意に設定しても、巻取軸に巻取られた余分なスクリーンが風その他の外力によって大きく撓むことがなく、左右の側枠に巻取軸を設けてスクリーンを左右両開きにした場合にも、余分なスクリーンが建物開口巾の１／２の範囲を超えて大きく引き出されることがない。更に、上記ストッパー機構は、コーナー連結部材に設けた操作輪によりスクリーンの繰り出し限度を外部から任意に調整できるようにしているので、上下部の枠材の寸法を任意に設定しても、容易に適切な繰り出し長さに設定することができる。また、このストッパー機構を設けたことにより、スクリーン装置の組立てに際して、スクリーンの長さを上下部の枠材の寸法に合わせて短く切断する必要もない。
しかも、ストッパー機構をコーナー連結部材に設けて、巻取軸に対して挿脱自在にしたので、上記巻取機構の場合と同様に、側枠を任意長さに調整しても、スクリーン枠に対するストッパー機構の組付けを容易に行うことができる。
【００１４】
上記巻取り式スクリーン装置においては、上下部の枠材にスクリーンの上下端をガイドするガイド溝を設けると共に、巻取軸を備えた側枠の上下端に位置するコーナー連結部材に上記ガイド溝の延長部を設け、該延長部を構成する溝壁に、該ガイド溝から脱したスクリーンを巻取軸に巻取るときにその延長部内に戻す誘導溝を、巻取軸におけるスクリーンの巻き巾にわたって設けるのが、ガイド溝から抜け出したスクリーンをそれに皺が生じないように巻取軸に円滑に巻取ると同時に、その巻取りに伴って溝から脱したスクリーンを正常な位置に戻すために有効である。
【００１５】
また、上記巻取り式スクリーン装置においては、左右の側枠、可動框の框材及びスクリーンの巻取軸を同一長さにすると共に、上下部の枠材を同一長さとすることにより、スクリーン枠とそれに適合する可動框を形成できるようにし、あるいは、上下部の枠材を共通化すると共に、上下部のコーナー連結部材を、巻取機構及びストッパー機構を除いて、上下対称性を有する形状に形成し、巻取軸の両端をコーナー連結部材の支持面にワッシャーを介して回転自在に支持させ、スクリーン枠を上下反転して使用可能にするのが、製造、組立、施工時の利便性を考慮すると有効である。
【００１６】
【発明の実施の形態】
図１〜図４は本発明に係る巻取り式スクリーン装置を防虫網戸として実施するようにした一実施例を示すもので、この巻取り式スクリーン装置は、上下部の枠材２，３と左右の側枠４，５とをそれぞれコーナー連結部材６，７，８，９により連結して構成したスクリーン枠１を備えている。上記上下部の枠材２，３は、アルミニウムあるいはプラスチックからなる共通の押出材により、一定断面のものとして構成され、建物開口部の開口巾に合わせるようにして任意長に切断して使用できるものである。
【００１７】
また、上記一対の側枠４，５は、図示した片開き仕様の例、即ち、一方の側枠４をスクリーン１１の巻取軸１２を収容する巻取ボックスとし、その巻取軸１２に一端を固定して巻着したスクリーン１１の他端に、上下部の枠体２，３にガイドさせる可動框１３を固定して、該可動框１３を他方の側枠５の位置まで移動させることにより、スクリーン枠１の全体にスクリーン１１を張設するようにしたスクリーン装置では、上記一方の側枠４だけが巻取ボックスとして構成され、他方の側枠５がスクリーン張設時の可動框１３を受ける框受けとして構成される。しかしながら、後述する両開き使用の場合には、両側枠４，５が巻取ボックスとして構成されることになる。
【００１８】
任意長に切断した上下部の枠材２，３と左右の側枠４，５の端部は、それぞれ上記コーナー連結部材６〜９によって連結することにより、上記スクリーン枠１が構成される。上記上下部の枠材２，３と巻取ボックスを構成する側枠４の上下端との間の連結を行う上下部のコーナー連結部材６，８は、それらに連結する後述の巻取機構２０及びストッパー機構４０を除いて、上下対称性を有する形状に形成され、各コーナー連結部材６，８と側枠４との連結は、側枠４の上下端の連結部４ａ，４ｂを、それぞれコーナー連結部材６，８における連結部６ａ，８ａに嵌着して突き当て、上下端からねじ１６で締め付けることにより連結している。また、各コーナー連結部材６，８と上下部の枠材２，３との連結は、図１に明瞭に示されているコーナー連結部材６，８の連結部６ｂ，８ｂを、上下部の枠材２，３の端部の連結部２ａ，３ａに嵌着し、必要に応じてねじ等で固定することにより行われるものである。
【００１９】
一方、上下部の枠材２，３と框受けを構成する側枠５とを連結する上下部のコーナー連結部材７，９は、上下対称性を有する形状に形成され、側枠５の上下端との連結は、前記コーナー連結部材６，８と側枠４との連結の場合と同様に、側枠５の上下端の連結部５ａ，５ｂを、それぞれコーナー連結部材７，９における連結部７ａ，９ａに嵌着して突き当て、上下端からねじ１６で締め付けることにより行い、また、各コーナー連結部材７，９と上下部の枠材２，３との連結は、コーナー連結部材７，９の連結部７ｂ，９ｂを上下部の枠材２，３の端部の連結部２ｂ，３ｂに嵌着し、必要に応じてねじ等で固定することにより行っている。
【００２０】
更に、可動框１３についても、側枠４，５と同様に、一定断面の框材１４を所要長に切断し、両端に上下部の枠材２，３に形成されたガイド溝に沿って摺動するキャップ１５ａ，１５ｂを設けることにより構成している。なお、この可動框１３には、中間位置に框受けを構成する側枠５の凹部に弾性的に係止する掛け金具１８を設けている。
上記左右の側枠４，５、可動框１３の框材１４、及び前記スクリーンの巻取軸１２は、それらを同一長さに形成することにより所要のスクリーン枠１とそれに適合する可動框１３が形成されるように設計され、また、上下部の枠材２，３についても同一長さとしてスクリーン枠が形成されるようにしている。そのため、それらの素材を適宜の切断工具あるいは切断装置で建物開口部の寸法に対応する一定の同一長さに切断することにより、所定のサイズのスクリーン枠１を組立てることができる。
【００２１】
上記巻取軸１２を設けた側枠４の上側のコーナー連結部材６には、巻取軸１２に対して挿脱自在の巻取機構２０を設け、また下側のコーナー連結部材８には、巻取軸１２に対して挿脱自在のストッパー機構４０を設けている。
上記巻取機構２０は、側枠４の両端のコーナー連結部材６，８に回転自在に支持させた巻取軸１２に連結して、スクリーン１１を巻取るためのスプリング２５の付勢力を該巻取軸１２に伝達するものであり、上記ストッパー機構４０は、巻取軸１２の回転によるスクリーン１１の繰り出しの限度を調整可能にしたものである。
【００２２】
以下に、これらの巻取機構２０及びストッパー機構４０の構成を具体的に説明する。
先ず、上記巻取軸１２を収容している側枠４の一方端の巻取機構２０を備えたコーナー連結部材６は、連結部材本体２１とそれに組付けてねじ固定される端蓋２２を備えている。上記端蓋２２は、連結部材本体２１との間に操作輪２４を収容する室２３を形成するものであるが、その一部を切り欠くことにより開口部を形成し（図１参照）、外部から操作輪２４を指先で回転操作できるようにしている。また、上記室２３における操作輪２４の内側には、クラッチ機構３０も収容され、このクラッチ機構３０の一部を形成するクラッチ筒２２ａが端蓋２２の内面側に一体に形成されている（図４参照）。
【００２３】
上記巻取機構２０は、上記端蓋２２のクラッチ筒２２ａに対して後述のクラッチ機構３０を介して連結される連結軸２６、及び該連結軸２６に固定して巻取軸１２内に挿入されるスプリング支持軸２８を備え、上記連結軸２６の先端側に固定側のスプリング受け２７を一体的に設けると共に、上記スプリング支持軸２８上に、巻取軸１２の内面に連結した巻取軸側のスプリング受け２９を回転自在に支持させ、これらのスプリング受け２７，２９にそれぞれ巻取り用のスプリング２５の両端を巻着固定している。
上記巻取軸側のスプリング受け２９は、スプライン嵌合等により巻取軸１２と一体的に回転するが、巻取軸１２の軸線方向には移動自在としたものである。従って、巻取軸１２はコーナー連結部材６にクラッチ機構３０を介して固定的に設けられた連結軸２６にスプリング２５を介して連結され、このスプリング２５により巻取軸２６巻取り方向の付勢力が付与される。
【００２４】
上記クラッチ機構３０は、連結軸２６が巻取軸１２側からの回転力によって回転するのを、上記クラッチ機構３０によって該連結軸２６をコーナー連結部材６の端蓋２２のクラッチ筒２２ａに連結することにより阻止するが、上記端蓋２２の開口部に臨ませた操作輪２４の回転は、スクリーン１１を巻取るためのスプリング２５の付勢力の調整のために、連結軸２６及びスプリング支持軸２８を介してスプリング受け２９に伝達できるようにしたものである。
即ち、上記操作輪２４の操作によりスプリング受け２９を正逆いずれの方向にも回転させることができ、このスプリング受け２９の回転は、巻取軸１２を回転させると同時にスプリング２５に捻りを与え、スプリング２５の付勢力を調整することが可能になる。
【００２５】
次に、上記クラッチ機構３０の構成について具体的に説明する。
上記コーナー連結部材６の端蓋２２の内面に設けたクラッチ筒２２ａには、縮径方向に付勢されて該クラッチ筒２２ａの表面に圧接するクラッチばね３１を巻着し、そのクラッチばね３１の両端に互いに対向する折曲部３１ａを形成している。一方、上記連結軸２６の基端には、上記クラッチ筒２２ａ内において回転自在に支持される筒部３２、及びクラッチ筒２２ａに巻着したクラッチばね３１の周囲に突出する一対の凸部３３，３３を設け、また、上記操作輪２４を上記凸部３３，３３の周囲の円周面に回転自在に嵌合し、この操作輪２４の内面に突設した係合凸部２４ａを、上記一対の凸部３３，３３の間に十分な隙間を介在させて挿入している。
【００２６】
そして、上記クラッチばね３１の一対の折曲部３１ａを、連結軸２６の基部に設けた上記凸部３３，３３間において、操作輪２４から突設した係合凸部２４ａの両側に位置させている。上記クラッチばね３１は、クラッチ筒２２ａの周囲において縮径方向に付勢されているが、操作輪２４の回転により係合凸部２４ａがクラッチばね３１の一対の折曲部３１ａのいずれかを押す方向は、クラッチばね３１の巻き径が大きくなってクラッチ筒２２ａに対する巻付きを解除する方向である。
【００２７】
従って、上記クラッチ機構３０における操作輪２４をいずれかの方向に回転させると、その操作輪２４の内面に設けた係合凸部２４ａがクラッチばね３１の両端の折曲部３１ａのいずれかに係合して、その折曲部３１ａをクラッチばね３１の巻き径が大きくなる方向に移動させる。そのため、クラッチばね３１とクラッチ筒２２ａとの間の摩擦力が低下して、操作輪２４がその係合凸部２４ａにより連結軸２６の基部の凸部３３を押圧しながら回転し、その回転が連結軸２６に伝達されて、スプリング支持軸２８を介してスプリング受け２９に伝達される。
しかるに、巻取軸１２の回転力等によって連結軸２６に回転力が作用しても、該連結軸基部の凸部３３がクラッチばね３１の一対の折曲部３１ａのいずれかを押す方向は、クラッチばね３１の巻き径を小さくしてクラッチ筒２２ａに対する巻付きを強める方向であるため、連結軸２６がコーナー連結部材６における上記端蓋２２に固定され、操作輪２４に対して回転力が伝達されることはない。
【００２８】
また、上記スプリング支持軸２８と巻取軸１２との間には、一方向クラッチ機構を内蔵したオイルダンパー３５を設けている。上記オイルダンパー３５のスプリング支持軸２８との連結は、前記スプリング受け２９の場合と同様に、スプライン嵌合等により、オイルダンパー３５が巻取軸１２と一体的に回転するが、巻取軸１２の軸線方向には移動自在としたものである。
上記一方向クラッチ機構は、スプリング２５の回転付勢力に抗してスクリーン７を展張する方向に巻取軸１２を回転させる場合には、スプリング支持軸２８と巻取軸１２との間の接続が自動的に断たれ、逆方向に巻取軸が回転するときには巻取軸１２がオイルダンパー３５を介してスプリング支持軸２８に連結されるようにしたものである。
【００２９】
上記オイルダンパー３５としては、スプリング支持軸２８に連結するケーシングと、該ケーシング内に充填した粘性流体を介して回転が伝達される制動筒を備え、この制動筒を公知の一方向クラッチ機構を介して巻取軸１２に連結するような構成とすることができるが、他の適宜構造のものを採用することができる。
このようなオイルダンパー３５は、巻取り用スプリング２５によりスクリーン１１を巻取る際に、可動框１３がコーナー連結部材６に衝突する衝撃の緩和やその衝突音の防止に有効なものであるが、必ずしも設ける必要がない。
【００３０】
上記コーナー連結部材６に設けた巻取機構２０は、連結軸２６、スプリング支持軸２８、スプリング受け２９及びオイルダンパー３５を巻取軸１２内に挿入しているが、上記スプリング受け２９及びオイルダンパー３５は巻取軸１２にスプライン嵌合等によって嵌挿したものであり、そのため、巻取軸１２とコーナー連結部材６及び巻取機構２０とは、着脱自在に連結されている。
具体的には、巻取軸１２の端部を連結軸２６の周囲に回転自在に支持させ、その際、巻取軸１２の軸端と、コーナー連結部材６における連結部材本体２１の巻取軸端を受ける支持面との間にワッシャー３６を介装し、巻取軸の端部を回転自在に支持させている。
【００３１】
次に、コーナー連結部材８に設けたスクリーン１１の繰り出しの限度を設定する上記ストッパー機構４０について説明する。
このストッパー機構４０は、コーナー連結部材８に対してクラッチ機構５０を介して巻取軸１２内に挿入されて該巻取軸１２の端部を回転自在に支持する支持軸４１及びその先端から突出するねじ軸４２を連結し、このねじ軸４２に、巻取軸１２と一体的に回転するが巻取軸１２の軸線方向には移動自在としたナット４３を螺合している。また、上記ねじ軸４２は、その先端にナット４３の螺進の限度を設置するストッパ４４を備え、巻取軸１２がスクリーン１１の繰り出し方向に回転したときに、その回転に伴って、固定状態にあるねじ軸４２上をナット４３がストッパ４４に向かって螺進するように構成している。
【００３２】
上記コーナー連結部材８は、前記上方のコーナー連結部材６と対称性を有する形状に形成され、従って、コーナー連結部材６と同様に、連結部材本体４６と端蓋４７とを備えている。
また、上記クラッチ機構５０は、ねじ軸４２が巻取軸１２の回転力等によって回転するのは阻止するが、コーナー連結部材８における上記端蓋４７の開口部に臨ませた操作輪４９の回転はねじ軸４２に伝達できるようにしたものである。
【００３３】
従って、上記操作輪４９の操作によりねじ軸４２を正逆いずれの方向にも回転させることができ、このねじ軸４２の回転は、巻取軸１２と一体的に回転するが巻取軸１２の軸線方向には移動自在としたナット４３を、ねじ軸４２に沿って上下いずれかの方向に螺進させることになり、これによってナット４３とストッパ４４との間の距離が変わることになる。そのため、巻取軸１２の回転によりスクリーン１１が繰り出されるときに、ナット４３がストッパ４４に当接するまでの巻取軸１２の回転量が変わり、即ちスクリーン１１の繰り出しの限度を調整することができる。
【００３４】
上記クラッチ機構５０は、その構成が前記クラッチ機構３０と実質的に同一であり、前記クラッチ機構３０と異なる点は、前記クラッチ機構３０では、連結軸２６の基端に筒部３２及び一対の凸部３３，３３を設けているのに対し、このクラッチ機構５０では、該筒部３２及び凸部３３に対応する筒部及び一対の凸部を、巻取軸１２内に挿入される支持軸４１の基端に設けている点のみである。
従って、上記コーナー連結部材８の端蓋４７の内面にクラッチ筒が一体に設けられ、このクラッチ筒に、縮径方向に付勢されて該クラッチ筒の表面に圧接するクラッチばね５２を巻着し、その両端の折曲部を、端蓋４７の開口部に臨ませた操作輪４９の内面に突設した係合凸部の両側に位置させるなどの構成、及びそれらの機能は、先に説明したクラッチ機構３０の場合と変わるところがないので、ここではそれらについての詳細な説明を省略する。
【００３５】
なお、上記クラッチ機構５０においては、操作輪４９をいずれかの方向に回転させると、操作輪４９の回転がねじ軸４２に伝達されて、ナット４３が移動するが、巻取軸１２の回転力等によってねじ軸４２に回転力が作用しても、該クラッチ機構５０の存在によりねじ軸４２が回転することはなく、操作輪４９に対しても回転力が伝達されないのは勿論である。
【００３６】
また、上記ストッパー機構４０は、コーナー連結部材８に設けてナット４３を螺合したねじ軸４２を巻取軸１２内に挿入しているが、上記ナット４３はねじ軸４２にスプライン嵌合等によって嵌挿したものであり、そのため、巻取軸１２とコーナー連結部材８とは着脱自在に連結されている。具体的には、巻取軸１２の端部をねじ軸４２の支持軸４１に回転自在に支持させ、その際、巻取軸１２の軸端と、コーナー連結部材８における巻取軸１２の軸端を受ける支持面との間に、ワッシャー５３を介装している。
【００３７】
上記スクリーン装置においては、上下部の枠材２，３にスクリーン１１の上下端をガイドするガイド溝２ｃ，３ｃを設けて、風等の外力によりスクリーン１１の上下端がそのガイド溝２ｃ，３ｃから離脱するのを抑制しているが、それが何らかの原因により離脱した場合、その状態でスクリーン１１を巻取軸１２に巻取ると、スクリーン１１の一部がガイド溝の溝壁を越えているので、その部分から皺になった状態で巻取られる可能性があり、その場合には、皺によってその後のスクリーン１１の開閉操作が不円滑になる。
この問題を避けるため、側枠４の上下端に位置するコーナー連結部材６，８には、上記ガイド溝２ｃ，３ｃの延長部５５を巻取軸１２に近接した位置に設け、該延長部５５を構成する両側溝壁５６に、ガイド溝から脱したスクリーン１１を巻取軸１２に巻取るときにその延長部５５内に戻す誘導溝５７を、巻取軸１２におけるスクリーン１１の巻き巾の範囲内に設けている。
【００３８】
上記誘導溝５７は、上記溝壁５６に、側枠４から離れた方から側枠４に近い方向に、ガイド溝２ｃ，３ｃの外側からガイド溝延長部５５内に斜めに向かうように設けたものであり、これにより、スクリーン１１の上下の一方または双方端がガイド溝２ｃ，３ｃから外れていても、その外れた部分のスクリーン端が巻取軸１２に巻かれるときに、巻取軸１２におけるスクリーン１１の巻き巾にわたって設けられている誘導溝５７内をスクリーン１１の端部が通過するため、スクリーン１１に皺などが生じることなく、巻取りが円滑に行われる。
【００３９】
また、可動框１３が側枠４に近づいたときには、スクリーン１１のガイド溝から外れていた部分に、ガイド溝２ｃ，３ｃまたはその延長部５５の溝壁を乗り越えさせる必要があるが、スクリーン１１の一端が可動框１３に全巾にわたって固定され、他端側が巻取軸１２に正常に巻取られているので、該スクリーン１１に溝壁５６を越えてガイド溝延長部５５に復帰させる力が作用し、側枠４に近い位置で可動框１３を２・３回往復させることにより、容易にスクリーン１１を復帰させることができる。
【００４０】
上記スクリーン装置においては、上述したように、上下部の枠材２，３を共通化すると共に、上下部のコーナー連結部材６，８及び７，９を、巻取機構２０及びストッパー機構５０を除いて上下対称性を有する形状に形成している。
また、巻取軸１２の両端をコーナー連結部材６，８の支持面にワッシャー３６，５３を介して回転自在に支持させ、スクリーン枠１を上下反転しても円滑に使用できるようにしている。
このような巻取り式スクリーン装置を上下反転可能にすると、ここに示した片開き仕様のスクリーン装置の場合は、つりもとを左右に変更できることになり、従って使い勝手のよいスクリーン装置の設置を行うことができる。
【００４１】
図５は本発明の第２実施例を示すもので、この実施例ではスクリーン装置を両開き仕様とした場合を示している。
この第２実施例の場合は、上記第１実施例に比して、スクリーン枠６１を構成する左右の側枠６４，６５を、共に前記実施例の側枠４と同一構造であるところの、スクリーン７１ａ，７１ｂの巻取軸７２ａ，７２ｂを有する巻取ボックスによって構成し、従って、左右のスクリーン７１ａ，７１ｂの先端に取付ける可動框７３ａ，７３ｂには、互いに係合する掛け金具７８ａ，７８ｂを設けている。即ち、前記第１実施例のスクリーン装置において、側枠５として側枠４と同構造のものを用い、可動框における掛け金具について相互に係合可能なものを用いる点について考慮するだけで、スクリーン装置を第２実施例の両開き仕様にすることができる。
なお、第２実施例の上記以外の構造は、第１実施例の場合と変わるところがないので、それらの説明は省略する。
【００４２】
【発明の効果】
以上に詳述した本発明の巻取り式スクリーン装置によれば、スプリングを駆動源とする巻取軸にスクリーンを巻き付けて、該スクリーンを自動的に巻取るようにしたスクリーン装置においても、それを建物開口部に設置する際に、スクリーン枠における上下部の枠材と左右の側枠を上記開口部寸法に対応する所要長に切断して、その開口部の大きさに合わせた寸法に容易に調整することができ、その寸法調整を行ったときに、上記巻取機構における巻取力の調整及びスクリーンの引き出し限度の設定も簡単に行うことができる。
また、スクリーンの上下端がガイド溝から外れることがあっても、スクリーンの巻取りが円滑に行うことができる。
【図面の簡単な説明】
【図１】本発明に係る巻取り式スクリーン巻取装置の第１実施例を示す分解斜視図である。
【図２】上記実施例の部分破断正断面図である。
【図３】上記実施例の平断面図である。
【図４】巻取機構を備えたコーナー連結部材の要部拡大断面図である。
【図５】本発明に係る巻取り式スクリーン巻取装置の第２実施例を示す平断面図である。
【符号の説明】
１，６１　スクリーン枠
２，３　枠材
４，５，６４，６５　側枠
２ａ，２ｂ，３ａ，３ｂ，４ａ，４ｂ，５ａ，５ｂ　連結部
２ｃ，３ｃ　ガイド溝
６〜９　コーナー連結部材
６ａ，６ｂ，７ａ，７ｂ，８ａ，８ｂ，９ａ，９ｂ　連結部
１１，７１ａ，７１ｂ　スクリーン
１２，７２ａ，７２ｂ　巻取軸
１３，７３ａ，７３ｂ　可動框
１４　　框材
２０　　巻取機構
２２ａ　クラッチ筒
２４，４９　操作輪
２５　　スプリング
２７，２９　スプリング受け
２８　　スプリング支持軸
３０，５０　クラッチ機構
３６，５３　ワッシャー
４０　　ストッパー機構
４２　　ねじ軸
４３　　ナット
４４　　ストッパ
【図１】
2004003204.tif 000003
【図２】
2004003204.tif 000004
【図３】
2004003204.tif 000005
【図４】
2004003204.tif 000006
【図５】
2004003204.tif 000007